(57)【要約】【課題】エレベータの停止登録階を健常者用の呼び登録ボタン表示と身障者用の呼び登録ボタン表示を連動させることで、エレベータの運転効率を向上できるエレベータの呼び登録表示装置を提供する。【解決手段】かご内操作盤の健常者用呼び登録ボタンが操作された時、操作されたことを検出するリレー１Ｃ〜４ＣがＯＮとなる。それと同時に登録階の身障者用の呼び登録ボタンが操作されたかを制御手段で確認し、その検出リレー１Ｈ〜４ＨがＯＮならば身障者用呼び登録ボタン灯１Ｌ〜４Ｌを通常通り点灯させ、ＯＦＦならば身障者用呼び登録ボタン灯を特殊点灯させる。これにより混雑時、健常者用登録装置での停止階の確認ができなくとも、身障者用の登録装置で確認することができ、健常者の安易な身障者用呼び登録を防ぎ、エレベータの運転効率低下を防ぐ。【選択図】図１
2007001732.tif 000002
【特許請求の範囲】
【請求項１】
エレベータのかご内に健常者用の呼び登録ボタン、および身障者用の呼び登録ボタンを備え、前記健常者用の呼び登録ボタンを押すことにより前記身障者用の呼び登録ボタン灯が通常とは異なる仕様で点灯することを特徴とする、エレベータの呼び登録表示装置。
【請求項２】
前記健常者用の呼び登録ボタンが操作されると、前記身障者用の呼び登録ボタン灯が点滅することを特徴とする請求項１に記載したエレベータの呼び登録表示装置。
【請求項３】
前記健常者用の呼び登録ボタンが操作されると、前記身障者用の呼び登録ボタン灯が通常とは異なる色で点灯することを特徴とする請求項１に記載したエレベータの呼び登録表示装置。
【発明の詳細な説明】
【技術分野】
【０００１】
本発明は、エレベータの呼び登録表示装置に関し、より詳しくは、エレベータの運転効率を向上させることができるように改良されたエレベータの呼び登録表示装置に関する。
【背景技術】
【０００２】
従来、健常者と身障者とが共用するエレベータのかごには健常者用呼び登録装置と身障者用呼び登録装置とが別個に設けられている。健常者用呼び登録装置には各階への呼び登録ボタン、身障者用呼び登録装置には身障者用を示すマークと各階への呼び登録ボタンが設けられている。また、身障者用の呼び登録装置は健常者呼び登録装置よりも下方に配置され、車いす利用者のボタン操作を容易にしている。
【０００３】
身障者用呼び登録ボタンが操作されるとエレベータの運転は身障者モードとなり、乗りかごのドア戸開き時間が長くなる。その為、健常者用の呼び登録ボタンを押しても停止階表示のための身障者用の呼び登録ボタン灯は点灯しない。これにより混雑時等、健常者用の呼び登録ボタンが見えないため停止階がわからず、身障者用呼び登録を健常者が煩雑に操作すると、エレベータの運転効率が大幅に低下してしまう。
【０００４】
そこで、かご呼び登録階をエレベータ利用者に知らせるために、いくつかの提案がなされている。例えば、かご内操作盤の呼び登録及びホールボタンが操作されると、ホールに設置されたかご位置表示ランプを点滅させることで停止階を表示するものがある（特許文献１参照）。
【特許文献１】特開平０８−１１９５５０号公報
【発明の開示】
【発明が解決しようとする課題】
【０００５】
しかしながら、上述した従来技術は、かご内のエレベータ利用者にはわからない。かご内のかご位置表示灯に同様の技術を用いることも考えられるが、利用者が気づきにくい上、かご位置表示をデジタル表示するエレベータには適用できない。
【課題を解決するための手段】
【０００６】
上記課題を解決するために、かご内におけるエレベータの停止階の決定がかご内の健常者用と身障者用の呼び登録ボタンを操作することで決定される方式で、上記健常者用の呼び登録ボタンを操作した時、上記身障者用の呼び登録ボタンが操作されていなければ、身障者用の呼び登録ボタン灯を点滅、または通常とは異なる色で点灯させる手段を設けたことにより達成される。上記手段により、身障者用の呼び登録ボタンでも停止階を確認することができ、健常者が身障者用呼び登録ボタンを煩雑に操作することがなくなり、エレベータの運転効率の低下を防ぐことができる。
【発明の効果】
【０００７】
本発明のエレベータの呼び登録表示装置は、利用者が直接操作するボタンを用いて停止階を表示することによって、利用者に理解しやすく、健常者の安易な身障者用呼び登録を防止し、効率の良い運転が可能となる。
【発明を実施するための最良の形態】
【０００８】
以下、本発明の一実施形態を図により説明する。
【０００９】
図１および図２は、本発明の健常者用呼び登録ボタンでエレベータの停止階が決定したとき、停止階の身障者呼び登録ボタン灯を特殊点灯させる回路を示したものである。図中、１Ｃ〜４Ｃはかご内健常者用呼び登録ボタンが操作されたことを検出するリレーの接点で、１Ｈ〜４Ｈはかご内身障者用呼び登録ボタンが操作されたことを検出するリレーの接点、１Ｌ〜４Ｌはかご内身障者用呼び登録ボタン灯、１ＬＡ〜４ＬＡはそれぞれ１Ｌ〜４Ｌと同じボタン内に組み込まれた、異なる色のランプを示す。図３は、図１，図２に示したエレベータの呼び登録の作動を説明するフローチャートである。
【００１０】
図１および図３に示した図を参照し、請求項１における動作について詳細に説明する。２階の健常者用の呼び登録ボタンが操作されると、その操作を検出するリレー２ＣがＯＮする。２ＣがＯＮすることにより、制御手段を介して身障者用の呼び登録ボタン灯２Ｌが点灯するが、制御手段により身障者用呼び登録の有無を感知し、２階の身障者用の呼び登録検出リレー２ＨがＯＮだった場合、身障者用呼び登録ボタン灯２Ｌを通常通りに点灯し、２ＨがＯＦＦだった場合は２Ｌが特殊点灯する。制御手段内の判断方法は図３のように行う。
【００１１】
図１および図３に示した図を参照し、請求項２における動作について詳細に説明する。健常者用呼び登録ボタン検出リレー２ＣがＯＮし、身障者用呼び登録ボタン検出リレー２ＨがＯＦＦの時、制御手段を介して身障者用呼び登録ボタン灯２Ｌの接点を一定間隔でＯＮ／ＯＦＦを繰り返すことにより、身障者用呼び登録ボタン灯の点滅を行う。これにより、エレベータ利用者に身障者用呼び登録ボタン灯を用いた停止階の表示ができ、安易な身障者用呼び登録を防ぐことができる。
【００１２】
図２および図３に示した図を参照し、請求項３における動作について詳細に説明する。身障者用呼び登録ボタン内に通常とは異なる色のランプ１ＬＡ〜４ＬＡを別に設置し、健常者用呼び登録ボタン検出リレー２ＣがＯＮされ、身障者用呼び登録ボタン検出リレー２ＨがＯＦＦの時、制御手段内で身障者用呼び登録ボタン灯の接点を変更することにより、通常とは異なる色で身障者用呼び登録ボタン灯を点灯させる。これにより、エレベータ利用者に身障者用呼び登録ボタン灯を用いた停止階の表示ができ、安易な身障者用呼び登録を防ぐことができる。
【図面の簡単な説明】
【００１３】
【図１】本発明の一実施形態のエレベータの呼び登録表示装置の回路である。
【図２】本発明の他の実施形態のエレベータの呼び登録表示装置の回路である。
【図３】図１，２に示したエレベータの呼び登録の作動を説明するフローチャート。
【符号の説明】
【００１４】
１Ｃ〜４Ｃ  かご内健常者用呼び登録ボタンが操作されたことを検出するリレーの接点。
【００１５】
１Ｈ〜４Ｈ  かご内身障者用呼び登録ボタンが操作されたことを検出するリレーの接点。
【００１６】
１Ｌ〜４Ｌ  かご内身障者用呼び登録ボタン灯。
【００１７】
１ＬＡ〜４ＬＡ  １Ｌ〜４Ｌとは異なる色のかご内身障者用呼び登録ボタン灯。
【図１】
2007001732.tif 000003
【図２】
2007001732.tif 000004
【図３】
2007001732.tif 000005